(57)【要約】【課題】受取人における開封忘れをなくす三つ折り葉書を提供する【解決手段】折り畳み後に表出する中央の葉片の表面に、葉書本体であることを明示するための「郵便はがき」又はそれに相当する表示と、該表示以外の表示を共になす。【選択図】　　　図２
2004098644.tif 000002
【特許請求の範囲】
【請求項１】
折り線を介して連接された３葉片を折り畳み、前記折り畳みにより生じた対向面を、疑似接着媒体を介して剥離可能に疑似接着してなる情報通信体において、折り畳み後に中央の葉片の一部が表出すると共に該表出面に葉書本体であることを明示するための「郵便はがき」又はそれに相当する表示と、該表示以外の表示が共になされていることを特徴とした三つ折り葉書。
【請求項２】
折りがＺ折りであることを特徴とした請求項１記載の三つ折り葉書。
【請求項３】
折りが巻き折りであることを特徴とした請求項１記載の三つ折り葉書。
【請求項４】
「郵便はがき」又はそれに相当する表示以外の表示が受取人の開封動作を喚起するものであることを特徴とした請求項１乃至３に記載の三つ折り葉書。
【請求項５】
表出する中央の葉片表面のデザインががその上面に添付されているの葉片表面と異なる独立したデザインであることを特徴とした請求項１乃至４に記載の三つ折り葉書。
【発明の詳細な説明】
【０００１】
【産業上の利用分野】
本発明は、多量な情報を葉書料金で郵送可能な葉書に関する。詳しくは見掛けは通常の葉書であるにもかかわらず、多層に折り畳まれたシートの葉片が剥離可能に積層されているため、多量な情報を隠蔽状態で伝達することができる三つ折り葉書に関する。
【０００２】
【従来の技術】
最近、葉書等の郵便物で、情報が記載された複数の葉片を折り畳んで剥離可能に一体化し、多量の情報を郵送可能にした情報通信体が利用されている。このような情報通信体の中で、例えば実開平７−２６１６０号の「三つ折りシークレットはがき」のように、通常より多量な情報を葉書料金で郵送することが可能な葉書が提案されている。
【０００３】
【発明が解決しようとする課題】
前記引例の三つ折り葉書は、折り線を介して連接された３葉片を中央の葉片の一部が表出するようにＺ折りに折り畳み、該表出部分に「郵便はがき」又はそれに相当する文字を表示することにより葉書本体とみなすものである。それにより中央の葉片に連接した２葉片は葉書本体の表裏面の添付物とみなされて郵政法の郵便葉書として郵送が可能になるのである。
しかし前記引例によれば、隠蔽情報をできる限り多くするために、中央葉片に表出する表示は「郵便はがき」又はそれに相当する表示しか考えられていない。そのため特に長辺に沿って帯状に段差を形成し、段差部の表出面に前記表示がなされている場合、開封部分が葉書周囲より中に入り込んでしまい、受取人が開封部分に全く気付かずに開封せず廃棄してしまう事故が多く、結局ＤＭの最大目的である受取人への情報伝達を全く達成することができず、ＤＭとしての意味がなくなってしまうのである。
本発明はかかる問題に鑑み、受取人が確実に開封するため情報伝達が完全になされる三つ折り葉書を提供するものである。
【０００４】
【課題を解決するための手段】
上記目的を達成するために、本発明の三つ折り葉書は、折り線を介して連接された３葉片を折り畳み、前記折り畳みにより生じた対向面を、疑似接着媒体を介して剥離可能に疑似接着してなる情報通信体において、折り畳み後に中央の葉片の一部が表出すると共に該表出面に葉書本体であることを明示するための「郵便はがき」又はそれに相当する表示と、該表示以外の表示が共になされていることを特徴としている。
【０００５】
本発明の三つ折り葉書は前記引例のＺ折りに限らず、巻き折りの形態にも適用可能である。いずれにしても折り畳み後に表出する中央の葉書本体に相当する葉片表面に、「郵便はがき」又はそれに相当する表示と受取人の開封動作を喚起する表示がなされている。受取人の開封動作を喚起する表示とは例えば「ここから開いて下さい」、「ここからはがしてください」等直接受取人に開封動作を指示する文言の他に、「中面をご覧下さい。このチャンスをお見逃しなく！」等中面の記載に受取人が興味を引くような文言であっても構わない。さらにそれら文言と共にキャラクターやイラストが付加されていても構わない。
【０００５】
また、受取人の開封動作を喚起するために、表出する葉書中央の葉片表面とその上面に添付された葉片表面のデザインを明確に違えることにより更に受取人の開封動作を喚起することができる。
例えば表出する表面部分を添付葉片表面の色調と明確に異なる単色に統一し、その上に表示をすればより効果的である。勿論色調のみならず模様等により明確に区別できるようしても構わない。
【０００６】
本発明の疑似接着媒体に格別な制限はない。例えば剥離可能に接着（以下、疑似接着という。）した２枚のフィルムの両外側に接着剤層を形成したものや、用紙に印刷を施した後に疑似接着性の樹脂を疑似接着予定面に各種コーター方式等で塗布し疑似接着樹脂被膜を形成したもの。また用紙に印刷を施す前の段階で用紙表面に疑似接着性樹脂を塗布しておくもの等を好適に使用することができる。
【０００７】
前記２枚のフィルム両外側に接着剤層を形成したものは４層構成になるが、必ずしもその構成にこだわることはなく、３層や５層或いはそれ以上の層構成であっても構わない。また疑似接着部分の形成方法も公知の各種コーター方式や溶融押し出し法、又は各種ラミネート方式から選択すればよい。さらに接着剤層の種類にも限定はなく、公知の粘着剤や感熱接着剤、強圧により接着性を発揮する感圧性接着剤及び感湿性接着剤等を好適に使用することができる。
【０００８】
また、前記用紙に印刷を施した後に疑似接着性の樹脂を疑似接着予定面に各種コーター方式等で塗布し疑似接着樹脂被膜を形成したものは、業界で「後糊方式」とか「ニス引き方式」と呼ばれＯＰワニス系、紫外線硬化系、溶剤蒸発乾燥系の疑似接着性の樹脂が好適に使用できる。しかし従来から公知である弱粘着性の粘着剤を使用しても構わない。
なお疑似接着性の樹脂の疑似接着手段としては加熱・加圧処理を施すものと加圧処理のみを施すものがあるが何れの手段でも構わない。
【０００９】
さらに前記用紙に印刷を施す前の段階で用紙表面に疑似接着性樹脂を塗布しておくものでは、業界で「圧着紙」と呼ばれる天然ゴムや合成ゴムを主体に各種添加剤や樹脂を添加したものを好適に使用できる。このような疑似接着性樹脂の場合、通常は接着性がないが高圧の加圧処理を施すことにより疑似接着が実行でき、加熱手段を必要としないため装置も簡単ですみ便利である。
【００１０】
【作用】
本発明の三つ折り葉書の受取人は、「郵便はがき」又はそれに相当する表示と共に記載されている開封動作を喚起する各種表示を容易に認識することができる。それにより開封忘れなく確実に受取人は開封して内容を視認する。
【００１１】
【実施例】
図１（Ａ）、（Ｂ）は中央の葉片表面が側端に沿って帯状に表出する三つ折り葉書の表面図と裏面図をそれぞれ表す。図２（Ａ）はＺ折りした図１の平面図を、（Ｂ）は（Ａ）のＸ−Ｘ断面図を、（Ｃ）は巻き折りの三つ折り葉書における（Ａ）のＸ−Ｘ断面図をそれぞれ表す。図３は表出する中央の葉片表面を広めの帯状にして、名仮面の記載と関連性のある表示を記載したデザインの三つ折り葉書の平面図を表す。
以下図面に沿って本発明の三つ折り葉書を詳細に説明する。
【００１２】
図１（Ａ）に示すように、葉書用紙Ｓは他の２葉片より横幅が狭い第１葉片１と第２葉片２及び第３葉片３が折り線４、５を介して連接されたものである。第１葉片表面には郵便切手欄と郵便番号枠等と共に宛先人の住所氏名６が記載されている。また図（Ｂ）に示すように第２葉片裏面の左縁辺には、帯状のデザインの中に「ＰＯＳＴ　ＣＡＲＤ」と「ここからめくる」の表示が、めくる部分を示唆する矢印のデザインと共に記載されている。
【００１３】
葉書用紙Ｓは図２（Ａ）、（Ｂ）に示すように中央の第２葉片２が葉書本体になり、第１葉片１と第３葉片１がそれぞれ上面と下面に添付された形態となっている。そして第２葉片２裏面の表示が横幅が短い第１葉片に覆われることがない左端に帯状に表出している。
この三つ折り葉書の受取人は、帯状部分の文字組の流れと第１葉片１表面に施されたデザイン等による文字組の流れが大きく異なるため、「ここから開く」の表示がさらに効果的に目立ち、非常に見やすいためすぐに目が引かれる。
そして開封することにより中面が表出することを即座に理解することができるため、確実に開封し中に記載されている内容を視認、確認するのである。
なお、（Ｃ）に示すように第３葉片３を巻き込むように折り畳んだ三つ折り葉書の場合も前記同様に確実に受取人は開封するのである。
【００１４】
なお本発明は上記実施例に限定されるものではない。
例えば図３に示すように、二重の帯に「ＰＯＳＴ　ＣＡＲＤ」と「この中にもすてきなご案内があります。開いて下さい。」の記載をして、さらにデザイン的に独立させることにより、開封動作を確実に喚起させることもできる。このような独立したデザイン、例えば帯の数をさらに増やしたりする等多々考えられるが、表出する第２葉片面に施すデザインを第１葉片表面のデザインと明確に異なる独立したデザインにすることにより効果はさらに倍増する。
また本実施例では開封口の場所を示唆するマークとして三角の矢印を用いているがこのマークに関しても格別の制限はなく、従来からの「手」のマークやキャラクター等と関連づけてイラストを記載してもよい。
【００１５】
【発明の効果】
以上のように、本発明の三つ折り葉書によれば、開封部分が葉書面の内方にある場合でも受取人は確実に内部に記載がなされていることを認識することが可能である。それにより受取人は確実に開封し中面の記載を視認するため、ＤＭとしての役目は完全に達成される。
【図面の簡単な説明】
【図１】（Ａ）、（Ｂ）は中央の葉片表面が側端に沿って帯状に表出する三つ折り葉書の表面図と裏面図をそれぞれ表す。
【図２】（Ａ）はＺ折りした図１の平面図を、（Ｂ）は（Ａ）のＸ−Ｘ断面図を、（Ｃ）は巻き折りの三つ折り葉書における（Ａ）のＸ−Ｘ断面図をそれぞれ表す。
【図３】図３は表出する中央の葉片表面を広めの帯状にして、名仮面の記載と関連性のある表示を記載したデザインの三つ折り葉書の平面図を表す。
【符号の説明】
Ｓ　葉書用紙
Ｊ　三つ折り葉書
Ｇ　疑似接着媒体
１、２、３　葉片
４、５　折り線
６　受取人住所
【図１】
2004098644.tif 000003
【図２】
2004098644.tif 000004
【図３】
2004098644.tif 000005